(57)【要約】【課題】子供用ステップ板に立ち乗りした子供の側方移動範囲のみならず後方移動範囲を規制して、その立ち乗りをより安定させる。さらに、子供用ステップ板に子供が立ち乗りしないときには、買物カゴの置き場所が増えるようにする。【解決手段】ショッピングカート１は、左右の側枠４を備えた基枠２と、左右の側枠から立設した左右の支柱５，６と、支柱の前方に設けられた上部カゴ載せ１５と、左右の支柱の下部の間に設けられた子供用ステップ板１１と、子供用ステップ板に立ち乗りした子供の側方移動範囲を規制する左右の側部フレーム９と、該子供の後方移動範囲を規制する後部フレーム７とを備える。左右の側部フレーム９と後部フレーム７は、それらの内側空間に買物カゴの上部を除く主要部を落とし込ませた状態で、左右の側部フレーム９に該買物カゴの上部を係止できる大きさに形成されている。【選択図】図１
2020050236.tif 000002
【特許請求の範囲】
【請求項１】
基枠（２）と、
基枠（２）から立設した左右の支柱（５，６）と、
左右の支柱（５，６）の前に設けられた上部カゴ載せ（１５）と、
基枠（２）の後部の上方に設けられた子供用ステップ板（１１）と、
子供用ステップ板（１１）に立ち乗りした子供の側方移動範囲を規制する左右の側部フレーム（９）と、
子供用ステップ板（１１）に立ち乗りした子供の後方移動範囲を規制する後部フレーム（７）と
を備えていることを特徴とするショッピングカート。
【請求項２】
左右の側部フレーム（９）と後部フレーム（７）は、それらの内側空間に買物カゴの上部を除く主要部を落とし込ませた状態で、左右の側部フレーム（９）に該買物カゴの上部を係止できる大きさに形成されている請求項１記載のショッピングカート。
【請求項３】
左右の側部フレーム（９）は、左右の支柱（５，６）の一部から後方へ延出して設けられたものである請求項１又は２記載のショッピングカート。
【請求項４】
後部フレーム（７）は、左右の側部フレーム（９）の後部から左右方向内側へ延出して設けられたものである請求項１〜３のいずれか一項に記載のショッピングカート。
【請求項５】
左右の側部フレーム（９）は、側部ハンドルでもある請求項１〜４のいずれか一項に記載のショッピングカート。
【請求項６】
左右の側部フレーム（９）の下方に、第２の側部ハンドル（１９）を備えた請求項５記載のショッピングカート。
【請求項７】
後部フレーム（７）は、後部ハンドルでもある請求項１〜６のいずれか一項に記載のショッピングカート。
【請求項８】
後部フレーム（７）は、左右方向中間部で切れることなく繋がっている請求項１〜７のいずれか一項に記載のショッピングカート。
【請求項９】
後部フレーム（７）は、左右方向中間部で切れており、その切れた左右方向の隙間が１０ｃｍ以上である請求項１〜７のいずれか一項に記載のショッピングカート。
【請求項１０】
基枠（２）の前部の上に、下部カゴ載せ（１４）を備えている請求項１〜９のいずれか一項に記載のショッピングカート。
【請求項１１】
子供用ステップ板（１１）は、買物カゴを載せられる大きさに形成されている請求項１〜１０のいずれか一項に記載のショッピングカート。
【発明の詳細な説明】
【技術分野】
【０００１】
本発明は、スーパーマーケット等の販売店で買い物をする際に使用するショッピングカートに関する。
【背景技術】
【０００２】
ショッピングカートのなかには、買物カゴを運ぶだけでなく、子供連れで買い物をする際の便宜のために、子供を一緒に運べるようにしたタイプがある。このタイプとしては、乳幼児が腰掛けることができる乳幼児用座席を設けたものが一般的であるが（特許文献１〜３）、近年、子供（幼児ないし低学年学童）が立って載ることができる床面（ステップ板）を設けたものも提案されている（特許文献４，５）。
【０００３】
特許文献４，５のショッピングカートは、車台と、支柱と、操作ハンドルと、上部かご枠とを備え、車台には前記ステップ板が設けられ、上部かご枠には乳幼児を座らせられる乳幼児用座席が設けられている。支柱は、車台から立設する縦部材と、縦部材を支持する支持部材と、縦部材の両側部（垂直部分）を連結する横部材とを有している。縦部材は、その上端が後方に屈曲されるとともに折り返して前方に屈曲されたのち（この部分を便宜上「横部分」という。）、左右に屈曲されて連結されている（この部分を便宜上「前部分」という。）。横部分により、大人用（客用）ハンドルが形成される。前部分により、ステップ板に立ち乗りした子供が握る子供用ハンドルが形成される。また、横部分と前部分とにより、後方を除いて周囲を囲む「枠」が形成され、この枠は、ステップ板に立ち乗りした子供の動く範囲を所定の範囲に規制するガイド枠として機能する。
【先行技術文献】
【特許文献】
【０００４】
【特許文献１】実開昭５７−２２４６６号公報
【特許文献２】特開平２−７４４６２号公報
【特許文献３】特開平９−３９７９７号公報
【特許文献４】特開２０１１−２４６０７７号公報
【特許文献５】特開２０１５−７７９７０号公報
【発明の概要】
【発明が解決しようとする課題】
【０００５】
しかし、特許文献４，５のショッピングカートのガイド枠は、ステップ板に立ち乗りした子供の側方移動範囲を規制する機能はあるが、後方移動範囲を規制する機能はなかった。また、ガイド枠に買物カゴを載せることは想定されておらず、仮に載せようとしても走行時に買物カゴが後方へ外れるおそれがあるため、実際に載せることはできなかった。
【０００６】
そこで、本発明の目的は、子供用ステップ板に立ち乗りした子供の側方移動範囲のみならず後方移動範囲を規制して、その立ち乗りをより安定させることにある。別の本発明の目的は、さらに、子供用ステップ板に子供が立ち乗りしないときには、買物カゴの置き場所が増えるようにすることにある。
【課題を解決するための手段】
【０００７】
本発明のショッピングカートは、
基枠（２）と、
基枠（２）から立設した左右の支柱（５，６）と、
左右の支柱（５，６）の前に設けられた上部カゴ載せ（１５）と、
基枠（２）の後部の上方に設けられた子供用ステップ板（１１）と、
子供用ステップ板（１１）に立ち乗りした子供の側方移動範囲を規制する左右の側部フレーム（９）と、
子供用ステップ板（１１）に立ち乗りした子供の後方移動範囲を規制する後部フレーム（７）とを備えたことを特徴とする。
【０００８】
ここで、左右の側部フレーム（９）と後部フレーム（７）は、それらの内側空間に買物カゴの上部を除く主要部を落とし込ませた状態で、左右の側部フレーム（９）に該買物カゴの上部を係止できる大きさに形成されていることが好ましい。
【０００９】
［作用］
子供用ステップ板に立ち乗りした子供の側方移動範囲を左右の側部フレームが規制し、後方移動範囲を後部フレームが規制するので、その立ち乗りをより安定させることができる。
上記の好ましい構成によれば、さらに、子供用ステップ板に子供が立ち乗りしないときには、左右の側部フレームに買物カゴを係止させて置くことができる。
【発明の効果】
【００１０】
本発明によれば、子供用ステップ板に立ち乗りした子供の側方移動範囲のみならず後方移動範囲を規制して、その立ち乗りをより安定させることができる。
別の本発明によれば、さらに、子供用ステップ板に子供が立ち乗りしないときには、買物カゴの置き場所が増える。
【図面の簡単な説明】
【００１１】
【図１】図１は、実施例１のショッピングカートを正面側から見た斜視図である。
【図２】図２は、同ショッピングカートを背面側から見た斜視図である。
【図３】図３は、同ショッピングカートの側面図である。
【図４】図４は、同ショッピングカートに買物カゴを載せたときの斜視図である。
【図５】図５は、実施例２のショッピングカートを正面側から見た斜視図である。
【図６】図６は、同ショッピングカートを背面側から見た斜視図である。
【図７】図７は、実施例３のショッピングカートを正面側から見た斜視図である。
【図８】図８は、同ショッピングカートを背面側から見た斜視図である。
【発明を実施するための形態】
【００１２】
１．左右の側部フレーム
左右の側部フレームは、左右の支柱の一部から後方へ延出して設けられたものである態様を例示できる。
左右の側部フレームは、側部ハンドルでもある態様を例示できる。側部ハンドルは、ショッピングカートを押す客が握ることもできるし、子供用ステップ板に立ち乗りした子供が握ることもできる。
また、その左右の側部フレームの下方に、第２の側部ハンドルを備えた態様も例示できる。この第２の側部ハンドルは、子供用ステップ板に立ち乗りした子供が握ることができる。
【００１３】
２．後部フレーム
後部フレームは、左右の側部フレームの後部から左右方向内側へ延出して設けられたものである態様を例示できる。
後部フレームは、後部ハンドルでもある態様を例示できる。後部ハンドルは、ショッピングカートを押す客が握ることもできるし、子供用ステップ板に後ろ向きに立ち乗りした子供が握ることもできる。
【００１４】
後部フレームは、左右方向中間部で切れることなく繋がっている態様を例示できる。
後部フレームは、左右方向中間部で切れており、その切れた左右方向の隙間が１０ｃｍ以上（より好ましくは１５ｃｍ以上）である態様を例示できる。
【００１５】
３．カゴ載せ
基枠の前部の上に、下部カゴ載せを備えている態様を例示できる。
子供用ステップ板は、買物カゴを載せられる大きさに形成されている態様を例示できる。
これらの態様によれば、子供用ステップ板に子供が立ち乗りしないときには、上部カゴ載せと下部カゴ載せと左右の側部フレームと子供用ステップ板とに、最大で、合計４つの買物カゴを置くことができる。
【００１６】
４．支柱
左右の支柱は、それぞれ１本からなる態様や、それぞれ、基枠の前後方向中間部から立設した第１支柱と、基枠の後部から立設した第２支柱とからなる態様等を例示できる。後者の態様は、支柱の強度が高い点で好ましい。
【００１７】
５．ガード部材
第１支柱と第２支柱の間に、子供用ステップ板に立った子供（又は置いた物品）の側方移動範囲を規制する側方ガード部材が設けられていることが好ましい。第２支柱も側方移動範囲を規制するが、さらに側方ガード部材が設けられていると、第１支柱と第２支柱の間において同規制機能が得られるからである。
【００１８】
子供用ステップ板の前端部の上に、子供用ステップ板に立った子供の（又は置いた物品）の前方移動範囲を規制する前方ガード部材が設けられていることが好ましい。上部カゴ載せも前方移動範囲を規制するが、さらに前方ガード部材が設けられていると、上部カゴ載せの下方において同規制機能が得られるからである。
【実施例】
【００１９】
次に、本発明の実施例について図面を参照して説明する。但し、説明する各部の構造、形状、数量等は例示であり、発明の趣旨を逸脱しない範囲で適宜変更できる。
【００２０】
［実施例１］
図１〜図４に示す実施例１のショッピングカート１は、基枠２と、基枠２から立設した左右の支柱５，６と、左右の支柱５，６の高さ方向中間部の前に設けられた上部カゴ載せ１５と、基枠２の後部の上方に設けられた子供用ステップ板１１と、子供用ステップ板１１に立ち乗りした子供の側方移動範囲を規制する左右の側部フレーム９と、子供用ステップ板１１に立ち乗りした子供の後方移動範囲を規制する後部フレーム７とを備える。ショッピングカート１は、さらに下部カゴ載せ１４、及びキャスター２５を備える。
【００２１】
基枠２は、左右に延びる前枠３と、前枠３の左右端から後方へ延びる左右の側枠４とを含む。基枠２は、金属製のフレーム材（フレームを構成可能な例えばパイプ材、型材等の素材。以下同じ。）からなる。キャスター２５は、左右の側枠４の前端付近と、左右の第１支柱５の下に取り付けられている。
【００２２】
左右の支柱は、それぞれ、側枠４の前後方向中間部から立設した第１支柱５と、側枠４の後部から立設した第２支柱６とからなる。第１支柱５と第２支柱６とは金属製のフレーム材からなる。
【００２３】
左右の第１支柱５は、左右の側枠４の前後方向中間部から、まず垂直に上へ５〜２０ｃｍ延び、続いて屈曲により垂直に対して２０〜３０度ほど前傾して上へ１５〜３０ｃｍ延び、続いて屈曲により垂直に対して１０〜２０度ほど後傾して上へ２５〜４０ｃｍ延びており、その上端の（側枠４の上面からの）高さが６５〜８０ｃｍである。
【００２４】
左右の第２支柱６は、左右の側枠４の後部から、まず垂直に上へ５〜２０ｃｍ延び、続いて屈曲により垂直に対して３５〜５５度ほど前傾して上へ４５〜６０ｃｍ延び、その上端が第１支柱５の高さ方向中間部に溶接等により接合されている。
【００２５】
左右の側部フレーム９は、左右の第１支柱５の上端から連続的に後方へ延出して設けられたものであり、第１支柱５と同じフレーム材からなる。左右の側部フレーム９は、左右の第１支柱５の上端から後方へ水平に又は水平に対して１０度以下の角度をなして３５〜５０ｃｍ延びている。
左右の側部フレーム９は、側部ハンドルでもある。側部ハンドルは、ショッピングカート１を押す客が握ることもできるし、子供用ステップ板１１に立ち乗りした子供が握ることもできる。側部ハンドルは、フレーム材のままでもよいし、フレーム材の外周に取り付けられた樹脂、ゴム等の高分子材料製の筒状のグリップ１０を含むものでもよい。
【００２６】
後部フレーム７は、左右の側部フレーム９の後端から連続的に左右方向内側へ延出して設けられたものであり、第１支柱５と同じフレーム材からなる。後部フレーム７は、左右方向中間部で切れることなく繋がっており、その左右長は５０〜６５ｃｍである。
後部フレーム７（フレーム材中心）の前後位置は、子供用ステップ板１１の後端よりも５〜２０ｃｍ後方にある。この範囲内にあると、後部フレーム７による、立ち乗りした子供の多少の身体の動きの許容と、後方移動範囲の規制とのバランスが良い。また、図３に示すように、子供の背中と後部フレーム７との間に隙間ができ、客が後部フレーム７を握りやすい。
後部フレーム７は、後部ハンドルでもある。後部ハンドルは、ショッピングカート１を押す客が握ることもできるし、子供用ステップ板１１に後ろ向きに立ち乗りした子供が握ることもできる。後部ハンドルは、フレーム材のままでもよいし、フレーム材の外周に取り付けられた樹脂、ゴム等の高分子材料製の筒状のグリップ８を含むものでもよい。
【００２７】
左右の側部フレーム９と後部フレーム７は平面視コ字状をなし、それらと上部カゴ載せ１５の後辺とで平面視ロ字状の内側空間ができる。図４に示すように、左右の側部フレーム９と後部フレーム７は、その内側空間に買物カゴＢの上部を除く主要部を落とし込ませた状態で、左右の側部フレーム９に該買物カゴＢの上部（例えばフランジ部）を係止できる大きさに形成されている。さらに、左右の側部フレーム９と後部フレーム７は、このとき後部フレーム７（後部ハンドル）と買物カゴＢとの間に客の手が入る隙間が生じる大きさに形成されていることが好ましい。後部フレーム７を握りやすくするためである。
【００２８】
子供用ステップ板１１は、子供（幼児ないし低学年学童）が立って載ることができるものであり、金属、樹脂等によりその上で子供が跳ねても耐えうる強度に形成されている。子供用ステップ板１１は、第１支柱５の下部の後ろにある。ショッピングカート１のネスティング時に、子供用ステップ板１１の下方へ後ろのショッピングカートの基枠２が進入しうるように、子供用ステップ板１１の下面レベルは基枠２の上面レベルよりも上方にある。子供用ステップ板１１をこの高さに支えるために、子供用ステップ板１１は、例えば、左の第１支柱５とその後方の側枠４とに架設された支持バー１２と、右の第１支柱５とその後方の側枠４とに架設された支持バー１２との間に、架け渡されている。
また、図４に示すように、子供用ステップ板１１は買物カゴを載せられる大きさに形成されている。
【００２９】
第１支柱５と第２支柱６の間に、子供用ステップ板１１に立った子供（又は置いた物品）の側方移動範囲を規制する側方ガード部材（図示略）が設けられていてもよい。第２支柱６も側方移動範囲を規制するが、さらに側方ガード部材が設けられていると、第１支柱５と第２支柱６の間において同規制機能が得られる。
側方ガード部材が、第１支柱５と第２支柱６と側枠４とで囲まれる空間の半分以上にわたる金属製のパネル状であると、同規制機能が高く、また、表面に絵柄や文字を付けたり広告シートを貼ったりすることができる。側方ガード部材は、同空間の全体又は一部にわたるパネル状、ネット状、柵状、棒状等でもよい。側方ガード部材は、樹脂製でもよい。
【００３０】
子供用ステップ板１１の前端部の上に、子供用ステップ板１１に立った子供の（又は置いた物品）の前方移動範囲を規制する前方ガード部材１７が設けられている。上部カゴ載せ１５も前方移動範囲を規制するが、さらに前方ガード部材１７が設けられていると、上部カゴ載せ１５の下方において同規制機能が得られる。
図示例の前方ガード部材１７は、子供用ステップ板１１と上部カゴ載せ１５と左右の第１支柱５とで囲まれた空間の全体にわたる金属製のネット状であるため、同規制機能が高い。前方ガード部材１７は、同空間の全体又は一部にわたる板状、柵状、棒状等でもよい。前方ガード部材１７は、樹脂製でもよい。
図示例の前方ガード部材１７は、左右の第１支柱５に取り付けられているが、取り付け先はこれに限定されない。
【００３１】
下部カゴ載せ１４は、基枠２の前部の上に設けられており、第１支柱５の下部の前にある。下部カゴ載せ１４は、第１支柱５に固定された後柵と、後柵の下部から前方へ延びた下柵と、下柵の全部を上向きに曲げた前柵と、左右の側枠４に立設した左右の側柵とからなる。
【００３２】
上部カゴ載せ１５は、左右の第１支柱５の上端に固定された回動支持材１８に対して上端部が回動可能に掛着された後あおり壁１６と、第１支柱５に固定された左右の側壁と、側壁に続く底壁と、側壁及び底壁に続く前壁とからなる。ショッピングカートのネスティング時に、上部カゴ載せ１５の内部へ後ろのショッピングカートの上部カゴ載せが進入できるように、後あおり壁１６は後ろの上部カゴ載せにあおられて上方へ回動する。
【００３３】
以上のように構成された本実施例のショッピングカート１によれば、次の作用効果が得られる。
（１）図４に示すように、上部カゴ載せ１５と下部カゴ載せ１４に買物カゴＢを載せることができる。また、子供用ステップ板１１に子供が立ち乗りしないときには、子供用ステップ板１１にも買物カゴＢを載せることができ、上記のとおり左右の側部フレーム９にも買物カゴＢを係止させて置くことができる。よって、最大で、合計４つの買物カゴＢを置くことができる。
【００３４】
（２）子供用ステップ板１１と側部フレーム９（側部ハンドル）及び後部フレーム７（後部ハンドル）を備えたことにより、図３に示すように、子供は後部フレーム７を下からくぐって子供用ステップ板１１に立ち乗りし、側部ハンドル又は後ろ向き時には後部ハンドルを握ることができる。よって、客は、後部ハンドル又は側部ハンドル（子供が握っていない箇所）を握り、子供を乗せたショッピングカートを運ぶことができる。このとき、子供用ステップ板１１に立ち乗りした子供の側方移動範囲を左右の側部フレーム９が規制し、後方移動範囲を後部フレーム７が規制する（子供の背中が後部フレーム７に当たる）ので、その立ち乗りをより安定させることができる。
【００３５】
（３）第１支柱５と第２支柱６とは、互いに補強し合って強度が高くなっているため、支柱の剛性感と安定性が高い。
【００３６】
［実施例２］
次に、図５及び図６に示す実施例２のショッピングカート１は、左右の側部フレーム９の下方に、金属製のフレーム材からなる第２の側部ハンドル１９を備えた点において、実施例１と相違するものである。第２の側部ハンドル１９の前端は第１支柱５の上端より５〜１５ｃｍ下の部位に接合され、第２の側部ハンドル１９の後端は側部フレーム９の後部に接合されている。第２の側部ハンドル１９は、フレーム材のままでもよいし、フレーム材の外周に取り付けられた樹脂、ゴム等の高分子材料製の筒状のグリップ１０を含むものでもよい。
【００３７】
本実施例によれば、側部フレーム９（側部ハンドル）を客が握ったときに、子供用ステップ板１１に立ち乗りした子供は第２の側部ハンドル１９を握ることができるので、互いの手がぶつかることがなくなる。
その他の構成は実施例１と共通であり、本実施例によっても実施例１と同様の作用効果が得られる。
【００３８】
［実施例３］
次に、図７及び図８に示す実施例３のショッピングカート１は、後部フレーム７が、左右方向中間部で切れており、その切れた左右方向の隙間Ｃ（グリップにより隙間が小さくなるときは、グリップ間の隙間）が１０〜４０ｃｍ（より好ましくは１５〜３０ｃｍ）である点において、実施例１と相違するものである。
【００３９】
本実施例によれば、子供は、後部フレーム７を下からくぐらなくても、後部フレーム７の切れた隙間Ｃをすり抜けて子供用ステップ板１１に立つことができる。
その他の構成は実施例１と共通であり、本実施例によっても実施例１と同様の作用効果が得られる。
【００４０】
なお、本発明は前記実施例の構成に限定されるものではなく、発明の趣旨から逸脱しない範囲で、適宜変更して具体化することもできる。
【符号の説明】
【００４１】
１    ショッピングカート
２    基枠
３    前枠
４    側枠
５    第１支柱
６    第２支柱
７    後部フレーム
８    グリップ
９    側部フレーム
１０    グリップ
１１    子供用ステップ板
１２    支持バー
１６    後あおり壁
１７    前方ガード部材
１８    回動支持材
１９    第２の側部ハンドル
２５    キャスター
Ｂ    買物カゴ
Ｃ    隙間
【図１】
2020050236.tif 000003
【図２】
2020050236.tif 000004
【図３】
2020050236.tif 000005
【図４】
2020050236.tif 000006
【図５】
2020050236.tif 000007
【図６】
2020050236.tif 000008
【図７】
2020050236.tif 000009
【図８】
2020050236.tif 000010